(57)【特許請求の範囲】
【請求項１】
片面に凹凸の形成されたポリウレタンフォームが前記凹凸を内面側としてカップ状に賦形されたブラカップ用パットにおいて、
前記ポリウレタンフォームの反発弾性が２０〜６０％、硬さが１２０〜１８０Ｎであり、
カップ状に賦形前の前記凹凸を片面に有するカップ状賦形前ポリウレタンフォームに対し、平板状の加圧体により０．５Ｎ／ｃｍ２の荷重を前記凹凸側に加えた際における前記加圧体への前記カップ状賦形前ポリウレタンフォームの接触面積をｓ、前記接触面積ｓを測定したカップ状賦形前ポリウレタンフォームの前記凹凸を無くした場合における前記加圧体との接触面積をｓ１とし、前記ｓ及びｓ１を用いる式（Ａ１）で得られるカップ状賦形前の接触面積率ｘ％と、前記ブラカップ用パットにおける隣り合う凸部の頂部における垂線間の角度２θとを用いる式（Ａ２）により得られるカップ状賦形後の換算接触面積率ｙ％が８０％未満であり、
カップ状に賦形された状態において、前記凹凸の凸部間に空隙を有することを特徴とするブラカップ用パット。
【数４】
0005858423.tif 000016
【数５】
0005858423.tif 000017
【請求項２】
前記θが４５°未満の場合、前記カップ状賦形前ポリウレタンフォームにおける凸部の高さｈと凸部の間隔ｐの関係が、ｐ／ｈ＝１〜４であることを特徴とする請求項１に記載のブラカップ用パット。
【請求項３】
前記θが４５°以上の場合、前記カップ状賦形前ポリウレタンフォームにおける凸部の高さｈと凸部の間隔ｐの関係が、ｐ／ｈ＝３〜４であることを特徴とする請求項１に記載のブラカップ用パット。
【発明の詳細な説明】
【技術分野】
【０００１】
本発明は、使用時のフィット感を向上させ、蒸れを低減できるブラカップ用パットに関する。
【背景技術】
【０００２】
ブラカップ（ブラジャーのカップ）用パットは、ブラジャーのカップの中芯を構成し、両面が布等の表面材で覆われてブラジャーのカップとなる。
ブラカップ用パットとして、ポリウレタンフォームをカップ状（お椀状）にしたものがある。また、胸の形状に対する追従性を高め、蒸れを低減させるため、パットの胸側の表面を凹凸形状としたものがある。
【０００３】
しかしながら、従来の凹凸形状を有するブラカップ用パットは、胸の形状に対する追従性を高めるため、胸のサイズに合わせて胸（乳房の表面）に添った形状となっている。そのため、凸部同士が近付きすぎたり、パッドが柔軟すぎて凸部が潰れたり、また、凸部のピッチが広く凹凸の山谷差が小さすぎたりした場合には、空間が確保できずに、胸の窮屈感（圧迫感）や蒸れを十分に抑えられない問題がある。また、胸の窮屈感（圧迫感）を抑えるため、ブラカップ用パットの内面と胸（乳房の表面）との接触を弱く（緩く）すると、不快感を生じ、しかも胸の形状を補正する作用が劣るようになる。
【先行技術文献】
【特許文献】
【０００４】
【特許文献１】実開平１−１４１１０号公報
【特許文献２】特開平８−１２７９０５号公報
【発明の概要】
【発明が解決しようとする課題】
【０００５】
本発明は前記の点に鑑みなされたものであって、胸の窮屈感（圧迫感）が無いフィット感の良好な、かつ蒸れを効果的に低減できるブラカップ用パットの提供を目的とする。
【課題を解決するための手段】
【０００６】
請求項１の発明は、片面に凹凸の形成されたポリウレタンフォームが前記凹凸を内面側としてカップ状に賦形されたブラカップ用パットにおいて、前記ポリウレタンフォームの反発弾性が２０〜６０％、硬さが１２０〜１８０Ｎであり、カップ状に賦形前の前記凹凸を片面に有するカップ状賦形前ポリウレタンフォームに対し、平板状の加圧体により０．５Ｎ／ｃｍ２の荷重を前記凹凸側に加えた際における前記加圧体への前記カップ状賦形前ポリウレタンフォームの接触面積をｓ、前記接触面積ｓを測定したカップ状賦形前ポリウレタンフォームの前記凹凸を無くした場合における前記加圧体との接触面積をｓ１とし、前記ｓ及びｓ１を用いる式（Ａ１）で得られるカップ状賦形前の接触面積率ｘ％と、前記ブラカップ用パットにおける隣り合う凸部の頂部における垂線間の角度２θとを用いる式（Ａ２）により得られるカップ状賦形後の換算接触面積率ｙ％が８０％未満であり、カップ状に賦形された状態において、前記凹凸の凸部間に空隙を有することを特徴とする。
【数１】
0005858423.tif 000002
【数２】
0005858423.tif 000003
【０００８】
請求項２の発明は、請求項１において、前記θが４５°未満の場合、前記カップ状賦形前ポリウレタンフォームにおける凸部の高さｈと凸部の間隔ｐの関係が、ｐ／ｈ＝１〜４であることを特徴とする。
【０００９】
請求項３の発明は、請求項１において、前記θが４５°以上の場合、前記カップ状賦形前ポリウレタンフォームにおける凸部の高さｈと凸部の間隔ｐの関係が、ｐ／ｈ＝３〜４であることを特徴とする。
【発明の効果】
【００１０】
請求項１の発明によれば、前記ポリウレタンフォームの反発弾性が２０〜６０％、硬さが１２０〜１８０Ｎであるため、蒸れを生じ難くでき、しかも胸に対する窮屈感（圧迫感）を抑えてフィット感を良好にできる。なお、ポリウレタンフォームの反発弾性が２０％未満になると、使用時にブラカップが胸に密着しすぎて蒸れやすくなり、一方、反発弾性が６０％を超えると使用時の反発が大きくなってフィット感が損なわれるようになる。また、硬さが１２０Ｎ未満になると、形状保持性が低くなって胸の補正作用が低くなり、一方、１８０Ｎを超えると使用時に硬さを感じてフィット感が損なわれるようになる。
【００１１】
請求項１の発明によれば、前記式（Ａ１）および前記式（Ａ２）から得られるカップ状賦形後の換算接触面積率ｙ％が８０％未満であるため、蒸れを生じ難くできる。なお、カップ状賦形後の換算接触面積率が８０％以上になると、使用時にブラカップが胸に密着しすぎて蒸れやすくなる。
【００１２】
請求項２の発明によれば、θが４５°未満の場合、前記カップ状に賦形前の賦形前ポリウレタンフォームにおける凸部の高さｈと凸部の間隔ｐの関係が、ｐ／ｈ＝１〜４であることにより、カップサイズがＡ〜Ｂの場合に、より蒸れを生じ難くできる。
【００１３】
請求項３の発明によれば、θが４５°以上の場合、前記カップ状に賦形前の賦形前ポリウレタンフォームにおける凸部の高さｈと凸部の間隔ｐの関係が、ｐ／ｈ＝３〜４であることにより、カップサイズがＣ〜Ｅの場合に、より蒸れを生じ難くできる。
【図面の簡単な説明】
【００１４】
【図１】本発明の一実施形態に係るブラカップ用パットの平面図である。
【図２】図１の２−２断面図である。
【図３】図２の一部を拡大して示す断面図である。
【図４】賦形前ポリウレタンフォームの一部を拡大して示す断面図である。
【図５】賦形前ポリウレタンフォームの斜視図である。
【図６】平板状のカップ状賦形前ポリウレタンフォームの加圧を示す図である。
【図７】凹凸の無い平板状ポリウレタンフォームの加圧を示す図である。
【発明を実施するための形態】
【００１５】
図１及び図２に示すブラカップ用パット１０は、右胸用のものであり、内面に凹凸１７が賦形されてカップ状（お椀状）に賦形されたポリウレタンフォーム１１からなる。符号１３は前記凹凸１７を構成する凸部（山部）、１５は凹部（谷部）である。なお、反対側の外面１２は前記凸部１３及び凹部１５のない平滑面になっている。前記ブラカップ用パット１０は、両面が布等の表面材で覆われてブラジャーのカップにされる。
【００１６】
前記ポリウレタンフォーム１１は、反発弾性が２０〜６０％（ＪＩＳ  Ｋ６４００−３準拠）、硬さが１２０〜１８０Ｎ（ＪＩＳ  Ｋ−６４００−２  ６．７  Ｄ法準拠）のものが用いられる。ポリウレタンフォーム１１の反発弾性が２０％未満になると、使用時にブラカップが胸に密着しすぎて蒸れやすくなり、一方、反発弾性が６０％を超えると使用時の反発が大きくなってフィット感が損なわれるようになる。また、ポリウレタンフォーム１１の硬さが１２０Ｎ未満になると、ブラカップの形状保持性が低くなって胸に対する補正作用が小さくなり、一方、１８０Ｎを超えると使用時に硬さを感じて胸に対する窮屈感（圧迫感）が大きくなり、フィット感が損なわれるようになる。特に好ましくは１３０〜１５０Ｎである。前記ポリウレタンフォーム１１の厚み（凸部１３の頂部と外面１２との距離）は、７〜１５ｍｍが好ましい。薄すぎると、胸に対する補正作用が小さくなり、一方、厚過ぎると、蒸れやすくなったり、邪魔に感じたりするようになる。
【００１７】
なお、前記ポリウレタンフォーム１１は、所定の反発弾性と硬度を有すれば、除膜処理等の後処理を付与しても問題ない。除膜処理をすることにより、より通気性および洗濯時の排水性の改善が期待されるが、工程が増えることによるコストアップや、除膜処理を行うことでセル膜がなくなるため、耐洗濯性については低下するというデメリットがある。本発明では前記除膜処理を施されていないものでも、前記ポリウレタンフォームの反発弾性が２０〜６０％、硬さが１２０〜１８０Ｎであるため、蒸れを生じ難くでき、しかも胸に対する窮屈感（圧迫感）を抑えてフィット感を良好にできる。
【００１８】
前記ブラカップ用パット１０の賦形は、図５に示すように、片側に凹凸１７Ａが形成され、反対側１２Ａが平面とされた板状のポリウレタンフォーム１０Ａを、カップの外面形状の型面を有する雌型（図示せず）と、カップの内面形状の型面を有する雄型（図示せず）との間に、前記凹凸１７Ａが雄型の型面を向くようにして配置し、前記雄型と雌型を接近させてポリウレタンフォーム１０Ａを熱プレスすることによって行うことができ、前記板状のポリウレタンフォーム１０Ａは、図４に示す平板状から図３に示す湾曲したカップ状のブラカップ用パット１０になる。符号１３Ａは板状のポリウレタンフォーム１０Ａにおける凹凸１７Ａの凸部、１５Ａは凹部である。前記雌型と雄型には、ヒータ等の加熱手段が配設され、熱プレス時の型面温度は、ポリウレタンフォームの賦形可能な温度、例えば１４０〜２００℃とされる。
【００１９】
前記プラカップ用パット１０は、カップ状賦形後の換算接触面積率ｙ％が８０％未満とされている。特に好ましくは５０％未満、１６％以上である。前記カップ状賦形後の換算接触面積率ｙ％は、次のようにして求められる。
まず、図６の（６−１）及び（６−２）のように、前記凹凸１７Ａを片面に有する所定寸法からなる平板状のカップ状賦形前ポリウレタンフォーム１０Ａに対し、平板状の加圧体３１により０．５Ｎ／ｃｍ２の荷重を前記凹凸１７Ａ側に加え、その際における前記加圧体３１への前記賦形前ポリウレタンフォーム１０Ａの接触面積をｓとする。符号３２はポリウレタンフォームの載置台である。なお、０．５Ｎ／ｃｍ２の荷重は、実際にブラジャーが着用された際に、ブラジャーに加わる衣服の重さと重力を考慮して定めた。
一方、前記接触面積ｓを測定した賦形前ポリウレタンフォーム１０Ａにおいて前記凹凸１７Ａを無くした表面が平面の平板状ポリウレタンフォームに対し、すなわち図７の（７−１）及び（７−２）に示す凹凸の無い平板状ポリウレタンフォーム１０Ｂに対し、前記平板状の加圧体３１により０．５Ｎ／ｃｍ２の荷重を加えた際における前記加圧体３１への凹凸の無い平板状ポリウレタンフォーム１０Ｂの接触面積をｓ１とする。なお、前記凹凸の無い平板状ポリウレタンフォーム１０Ｂは、前記接触面積ｓを測定した賦形前ポリウレタンフォーム１０Ａと同一の平面寸法からなる。
次に、前記ｓ及びｓ１を用いる以下の式（Ａ１）で得られるカップ状賦形前の接触面積率ｘ％と、図３に示す前記ブラカップ用パット１０における隣り合う凸部１３１、１３２の頂部における垂線ｍ、ｎ間の角度２θとを用いる以下の式（Ａ２）によりカップ状賦形後の換算接触面積率ｙ％が得られる。なお、図３は図２の一部を拡大したものである。
【００２０】
【数１】
0005858423.tif 000004
【００２１】
【数２】
0005858423.tif 000005
【００２２】
なお、カップ状賦形後の換算接触面積率ｙ％は、カップ状賦形後のポリウレタンフォーム（すなわちブラカップ用パット）における使用時における胸との接触面積が、凹凸の無い場合における接触面積に対して何％になるかを示す値である。また、カップ状賦形後の換算接触面積率ｙ％は、前記カップ状賦形後のポリウレタンフォームを実際に加圧板で加圧するのに代えて、カップ状賦形後の凹凸の有るポリウレタンフォームの接触面積が、凹凸を片面に有する平板状のカップ状賦形前ポリウレタンフォームを加圧した場合の接触面積ｓと同様になると仮定して得られた値である。
【００２３】
なお、前記賦形前ポリウレタンフォーム１０Ａの接触面積ｓは、前記賦形前ポリウレタンフォーム１０Ａを所定平面寸法とし、平板状の加圧体３１により０．５Ｎ／ｃｍ２の荷重を前記凹凸１７Ａ側に加えて、直交する２側面より凸部の接触距離を測り、接触面が円であることから換算することにより得られる。一方、前記板状ポリウレタンフォーム１０Ｂの接触面積ｓ１は、前記板状ポリウレタンフォーム１０Ｂを、前記接触面積ｓの測定に用いた賦形前ポリウレタンフォーム１０Ａと同一の平面寸法として加圧される面の面積を計算し、得られた面積である。
【００２４】
以下、前記カップ状賦形後の換算接触面積率ｙ％の計算根拠について説明する。
図３に示す前記ブラカップ用パット１０における隣り合う凸部１３１、１３２の頂部間距離（直線距離）ａは、前記凸部１３１、１３２の頂部間における曲率半径ｒと、隣り合う凸部１３１、１３２の頂部における垂線間の角度２θとにより、次の式で得られる。なお、本願発明の説明において、「凸部の頂部間距離」は「凸部間隔」と同じであり、「凸部間隔」の基準となる凸部の位置を明確にした表現である。
ａ＝２ｒ・ｓｉｎθ
また、前記ブラカップ用パット１０における凸部１３１、１３２の頂部を通る仮想曲面Ｑ上での凸部１３１、１３２の頂部間距離ｐ１は、図４に示した前記カップ状賦形前ポリウレタンフォーム１０Ａにおける隣り合う凸部１３１Ａ、１３２Ａの頂部間距離ｐと同じであり、次の式で得られる。なお前記仮想曲面Ｑは、図４に示す前記カップ状賦形前の凹凸を有する平板における凸部の頂部を通る仮想平面Ｑ１が、前記平板をカップ状に賦形することにより湾曲して形成される曲面に相当する。なお、凸部間隔は、凹部最深部（谷のピーク）を挟んで両側に配置される２つの凸部の頂部（山のピーク）間の距離で、前記凹部最深部と２つの凸部の頂部は一平面上に配置される。
ｐ１＝ｐ＝２πｒ×２θ／３６０
従って、前記平板状ポリウレタンフォーム１０Ａがカップ状に賦形されることによる、隣り合う凸部間の直線距離短縮率ａ／ｐ１＝ａ／ｐは、次の式で得られる。
ａ／ｐ＝２ｒ・ｓｉｎθ／（２πｒ×２θ／３６０）＝１８０・ｓｉｎθ／（πθ）
【００２５】
前記平板状ポリウレタンフォーム１０Ａがカップ状に賦形されることにより、隣り合う凸部間付近の面積減少率ｅは、前記直線距離短縮率の二乗となり、次の式で得られる。
ｅ＝（ａ／ｐ）２＝［１８０・ｓｉｎθ／（πθ）］２
従って、前記ブラカップの使用時における胸に対する換算接触面積率ｙ（％）は次の式で得られる。
【数３】
0005858423.tif 000006
【００２６】
また、前記ブラカップ用パット１０は、胸の大きさに合わせてカップ状に賦形されるため、胸が大きくなるとブラカップ用パット１０の曲率が小さく（前記θが大きく）なる。前記２θの値は、ブラカップのカップがＡサイズの場合には６０°（θ＝３０°）、Ｃサイズの場合には９０°（θ＝４５°）、Ｅカップの場合には１２０°（θ＝６０°）である。前記ブラカップのサイズが大きい（前記θが大きい）場合に凸部の高さが高いと、凸部の頂部間がより接近して蒸れやすくなる。また、凸部の間隔が狭くなると凸部の頂部間がより接近して蒸れやすくなる。そのため、前記θが４５°未満の場合には、前記カップ状賦形前ポリウレタンフォーム１０Ａにおける凸部の高さｈと凸部の間隔ｐ（ｐ１）の関係が、ｐ／ｈ＝１〜４であるのが好ましく、一方、前記θが４５°以上の場合には、前記カップ状賦形前ポリウレタンフォームにおける凸部の高さｈと凸部の間隔ｐの関係が、ｐ／ｈ＝３〜４であるのが好ましい。
【実施例】
【００２７】
表１〜表９におけるポリウタンフォーム物性欄に示す硬度（ＪＩＳ  Ｋ−６４００−２  ６．７  Ｄ法準拠）と反発弾性のポリウレタンフォームを用いて、実施例及び比較例のブラカップ用パットを製造した。表におけるカット形状はカップ形状に賦形する前の平板状のものであり、山高さは凸部の高さ、谷厚みは凹部位置での厚み、総厚みはポリウレタンフォームの厚み、ピッチは凸部の間隔、ｐ／ｈは（凸部の間隔／凸部の高さ）である。
【００２８】
【表１】
0005858423.tif 000007
【００２９】
【表２】
0005858423.tif 000008
【００３０】
【表３】
0005858423.tif 000009
【００３１】
【表４】
0005858423.tif 000010
【００３２】
【表５】
0005858423.tif 000011
【００３３】
【表６】
0005858423.tif 000012
【００３４】
【表７】
0005858423.tif 000013
【００３５】
【表８】
0005858423.tif 000014
【００３６】
【表９】
0005858423.tif 000015
【００３７】
実施例及び比較例について、前記カップ状賦形前の接触面積率ｘ（％）とカップ状賦形後の換算接触面積率ｙ（％）を前記の式（Ａ１）と（Ａ２）により計算し、表１〜９における接触面積率欄に示した。換算接触面積率欄における平板（％）は、カップ状賦形前の接触面積率ｘ（％）、一方、カップ状換算（％）は、カップ状賦形後の換算接触面積率ｙ（％）である。
【００３８】
また、実施例及び比較例のブラカップ用パットについて、胸の垂れなどの他の因子が入り難い年齢である２０代の女性（ブラカップのサイズがＡ、Ｃ、Ｅの女性）に実際に着用してもらい、フィット感及び蒸れについて調べた。その際、ブラカップ用パットは、両面を不織布で覆ってパット形状にして、２時間着用してもらった。なお、フィット感及び蒸れは、硬度１４０Ｎ、反発弾性４０％、厚み１０ｍｍからなる凹凸の無い平面状ポリウレタンフォームから形成したブラカップ用パットを基準例として、実施例及び比較例の場合と同様に着用し、その際の感覚を数値２として実施例及び比較例を相対評価した。すなわち、フィット感については、１：フィットしない、２：凹凸の無い場合と同等、３：良好なフィット感、４：より良好なフィット感、という順序で良好になる。一方、蒸れについては、１：蒸れる、２：凹凸の無い場合と同等、３：蒸れない、４：さらに蒸れない、という順序で良好になる。結果は表の官能評価欄に示した。
【００３９】
表１〜表９に示すように、実施例のブラカップ用パットは、カップサイズ（カップ数）が異なっていてもフィット感が良好であり、蒸れにくいものであった。それに対して比較例のブラカップ用パットは、フィット感及び蒸れの少なくとも一方が凹凸の無い場合と同等以下であった。
【符号の説明】
【００４０】
１０  ブラカップ用パット
１１  ポリウレタンフォーム
１３  凸部（山部）
１５  凹部（谷部）
１７  凹凸
【図１】
0005858423.tif 000018
【図２】
0005858423.tif 000019
【図３】
0005858423.tif 000020
【図４】
0005858423.tif 000021
【図５】
0005858423.tif 000022
【図６】
0005858423.tif 000023
【図７】
0005858423.tif 000024